(57)【要約】      （修正有）【課題】狭帯域で発光強度が高い光源と広帯域で発光強度が低い光源を混在させてバックライトとして用いる画像表示装置の発光光を測定する測定装置のダイナミックレンジを有効活用する測定を支援する測定支援装置及びその制御方法を提供する。【解決手段】第１の光源１０６，１０７と第１の光源より帯域が狭い第２の光源１０５を有する画像表示装置１００が発する光を測定する測定装置１１１の測定を支援する測定支援装置であって、第２の光源の発光強度を第１の発光強度から第２の発光強度に低下させた場合の測定値を取得する第１の取得手段と、第２の光源を第２の発光強度で発光させた場合の測定値を第１の発光強度で発光させた場合の測定値に変換するパラメータを取得する第２の取得手段と、第１の取得手段による測定値およびパラメータに基づいて第２の光源が第１の発光強度で発光する場合の測定値を推定する推定手段と、を有することを特徴とする。【選択図】図１
2018169267.tif 000002
【特許請求の範囲】
【請求項１】
第１の色の光を発する第１の光源と、第２の色の光を発し、前記第１の光源より帯域が狭い第２の光源を含む複数の光源を有する画像表示装置が発する光を測定する測定装置の測定を支援する測定支援装置であって、
前記第２の光源の発光強度を、第１の発光強度から前記第１の発光強度よりも低い第２の発光強度に低下させた場合に前記測定装置により測定された測定値を取得する第１の取得手段と、
前記第２の光源を前記第２の発光強度で発光させた場合に前記測定装置により測定された測定値を、前記第２の光源を前記第１の発光強度で発光させた場合に前記測定装置により測定された測定値に変換する変換処理に用いるパラメータを取得する第２の取得手段と、
前記第１の取得手段により取得された測定値および前記パラメータに基づいて、前記第２の光源が前記第１の発光強度で発光している場合の前記測定装置の測定値を推定する推定手段と、
を有することを特徴とする測定支援装置。
【請求項２】
前記画像表示装置は、第３の色の光を発する第３の光源をさらに有し、
前記第１の色、前記第２の色、前記第３の色は、青色、緑色、赤色のうち、いずれかの色に対応する
ことを特徴とする請求項１に記載の測定支援装置。
【請求項３】
前記第２の発光強度は、前記第１の光源の発光強度と略同じであり、
前記第２の取得手段は、前記第２の光源が前記第１の発光強度で単独で発光した時の前記測定装置の適正露光時間と、前記第１の光源が単独で発光した時の前記測定装置の適正露光時間とに基づいて、前記パラメータを算出する
ことを特徴とする請求項１または２に記載の測定支援装置。
【請求項４】
前記推定手段は、前記第１の発光強度で発光する前記第２の光源の分光特性を前記測定値として推定する
ことを特徴とする請求項１から３のいずれか１項に記載の測定支援装置。
【請求項５】
前記第２の取得手段は、
前記第２の光源が前記第１の発光強度で発光し、前記第１の色、前記第２の色、前記第３の色を順次表示する前記画像表示装置が発する光をそれぞれ測定する前記測定装置の３つの測定値と、
前記第２の光源が前記第２の発光強度で発光し、前記第１の色、前記第２の色、前記第３の色を順次表示する前記画像表示装置が発する光をそれぞれ測定する前記測定装置の３つの測定値と、
に基づいて、前記パラメータを算出する
ことを特徴とする請求項２に記載の測定支援装置。
【請求項６】
前記測定値は三刺激値である
ことを特徴とする請求項５に記載の測定支援装置。
【請求項７】
前記第１の光源はレーザーであり、
前記第２の光源は、ＬＥＤである
ことを特徴とする請求項１から６のいずれか１項に記載の測定支援装置。
【請求項８】
第１の色の光を発する第１の光源と、第２の色の光を発し、前記第１の光源より帯域が
狭い第２の光源を含む複数の光源を有する画像表示装置が発する光を測定する測定装置の測定を支援する測定支援装置の制御方法であって、
前記第２の光源の発光強度を、第１の発光強度から前記第１の発光強度よりも低い第２の発光強度に低下させた場合に前記測定装置により測定された測定値を取得する第１の取得ステップと、
前記第２の光源を前記第２の発光強度で発光させた場合に前記測定装置により測定された測定値を、前記第２の光源を前記第１の発光強度で発光させた場合に前記測定装置により測定された測定値に変換する変換処理に用いるパラメータを取得する第２の取得ステップと、
前記第１の取得ステップにおいて取得された測定値および前記パラメータに基づいて、前記第２の光源が前記第１の発光強度で発光している場合の前記測定装置の測定値を推定する推定ステップと、
を有することを特徴とする測定支援装置の制御方法。
【請求項９】
前記画像表示装置は、第３の色の光を発する第３の光源をさらに有し、
前記第１の色、前記第２の色、前記第３の色は、青色、緑色、赤色のうち、いずれかの色に対応する
ことを特徴とする請求項８に記載の測定支援装置の制御方法。
【請求項１０】
前記第２の発光強度は、前記第１の光源の発光強度と略同じであり、
前記第２の取得ステップでは、前記第２の光源が前記第１の発光強度で単独で発光した時の前記測定装置の適正露光時間と、前記第１の光源が単独で発光した時の前記測定装置の適正露光時間とに基づいて、前記パラメータが算出される
ことを特徴とする請求項８または９に記載の測定支援装置の制御方法。
【請求項１１】
前記推定ステップでは、前記第１の発光強度で発光する前記第２の光源の分光特性が前記測定値として推定される
ことを特徴とする請求項８から１０のいずれか１項に記載の測定支援装置の制御方法。
【請求項１２】
前記第２の取得ステップでは、
前記第２の光源が前記第１の発光強度で発光し、前記第１の色、前記第２の色、前記第３の色を順次表示する前記画像表示装置が発する光をそれぞれ測定する前記測定装置の３つの測定値と、
前記第２の光源が前記第２の発光強度で発光し、前記第１の色、前記第２の色、前記第３の色を順次表示する前記画像表示装置が発する光をそれぞれ測定する前記測定装置の３つの測定値と、
に基づいて、前記パラメータが算出される
ことを特徴とする請求項９に記載の測定支援装置の制御方法。
【請求項１３】
前記測定値は三刺激値である
ことを特徴とする請求項１２に記載の測定支援装置の制御方法。
【請求項１４】
前記第１の光源はレーザーであり、
前記第２の光源は、ＬＥＤである
ことを特徴とする請求項８から１３のいずれか１項に記載の測定支援装置の制御方法。
【請求項１５】
請求項８から請求項１４のいずれか１項に記載の測定支援装置の制御方法の各ステップをコンピュータに実行させるためのプログラム。
【発明の詳細な説明】
【技術分野】
【０００１】
本発明は測定支援装置、その制御方法およびプログラムに関する。
【背景技術】
【０００２】
近年、スーパーハイビジョン・テレビの国際規格（ITU-R勧告 BT.2020：Parameter values for UHDTV systems for production and international programme exchange）など
、広色域な表示規格が提案されている。広色域を液晶表示装置で実現するために、バックライトの光源を従来のＬＥＤ（Ｌｉｇｈｔ  Ｅｍｉｔｔｉｎｇ  Ｄｉｏｄｅ）に替えて、レーザーを採用した画像表示装置が提案されている（特許文献１および特許文献２参照）。
【０００３】
一方で、画像表示装置で高精度にカラー画像を再現するためには、精度の高い測定装置で各表示色の表示特性を測定し、画像表示装置を細かくキャリブレーションすることが必要である。液晶表示装置などの画像表示装置の表示特性を精度よく測定する測定装置に分光輝度計がある。分光輝度計は、回折格子等により光を分光し、ＣＣＤ（Ｃｈａｒｇｅ-
Ｃｏｕｐｌｅｄ Ｄｅｖｉｃｅ）等の光学センサにより、分光された光の強度であるスペ
クトル特性を測定している。一般的なＣＣＤ等の光学センサのダイナミックレンジは、２０００：１〜３０００：１程度である。
【先行技術文献】
【特許文献】
【０００４】
【特許文献１】特開２０１４−２６１３２号公報
【特許文献２】特開２０１３−２４６１８６号公報
【発明の概要】
【発明が解決しようとする課題】
【０００５】
しかし、液晶表示装置のバックライトに、レーザーのような発光スペクトルが著しく狭帯域の光源と、ＬＥＤのような比較的広帯域の光源が混在する場合、狭帯域の光源のスペクトルのピーク値と広帯域の光源のスペクトルのピーク値とが大きくかい離する。このため、分光輝度計の測定条件を狭帯域の光源の発光スペクトルのピークにあわせて測定する場合、広帯域の光源の発光スペクトルは光学センサの測定可能範囲の一部によって測定される。このため、分光輝度計の測定条件を広帯域の光源の発光スペクトルにあわせて測定する場合に比べてスペクトル測定の分解能が低下し、測定に誤差が生じる可能性がある。そこで本発明は狭帯域で発光強度が高い光源と広帯域で発光強度が低い光源を混在させてバックライトとして用いる画像表示装置の発光光を測定する測定装置のダイナミックレンジを有効活用する測定を支援する測定支援装置及びその制御方法の提供を目的とする。
【課題を解決するための手段】
【０００６】
本発明の第１の態様は、
第１の色の光を発する第１の光源と、第２の色の光を発し、前記第１の光源より帯域が狭い第２の光源を含む複数の光源を有する表示装置が発する光を測定する測定装置の測定を支援する測定支援装置であって、
前記第２の光源の発光強度を、第１の発光強度から前記第１の発光強度よりも低い第２の発光強度に低下させた場合に前記測定装置により測定された測定値を取得する第１の取得手段と、
前記第２の光源を前記第２の発光強度で発光させた場合に前記測定装置により測定された測定値を、前記第２の光源を前記第１の発光強度で発光させた場合に前記測定装置によ
り測定された測定値に変換する変換処理に用いるパラメータを取得する第２の取得手段と、
前記第１の取得手段により取得された測定値および前記パラメータに基づいて、前記第２の光源が前記第１の発光強度で発光している場合の前記測定装置の測定値を推定する推定手段と、
を有することを特徴とする測定支援装置である。
【０００７】
本発明の第２の態様は、
第１の色の光を発する第１の光源と、第２の色の光を発し、前記第１の光源より帯域が狭い第２の光源を含む複数の光源を有する画像表示装置が発する光を測定する測定装置の測定を支援する測定支援装置の制御方法であって、
前記第２の光源の発光強度を、第１の発光強度から前記第１の発光強度よりも低い第２の発光強度に低下させた場合に前記測定装置により測定された測定値を取得する第１の取得ステップと、
前記第２の光源を前記第２の発光強度で発光させた場合に前記測定装置により測定された測定値を、前記第２の光源を前記第１の発光強度で発光させた場合に前記測定装置により測定された測定値に変換する変換処理に用いるパラメータを取得する第２の取得ステップと、
前記第１の取得ステップにおいて取得された測定値および前記パラメータに基づいて、前記第２の光源が前記第１の発光強度で発光している場合の前記測定装置の測定値を推定する推定ステップと、
を有することを特徴とする測定支援装置の制御方法である。
【０００８】
本発明の第３の態様は、本発明に係る測定支援装置の制御方法の各ステップをコンピュータに実行させるためのプログラムである。
【発明の効果】
【０００９】
本発明は狭帯域で発光強度が高い光源と広帯域で発光強度が低い光源を混在させてバックライトとして用いる画像表示装置の発光光を測定する測定装置のダイナミックレンジを有効活用する測定を可能にする。
【図面の簡単な説明】
【００１０】
【図１】画像表示装置および測定支援装置の概略構成を示すブロック図
【図２】液晶パネルの各色のフィルタの透過特性
【図３】画像表示装置が白色表示した場合の分光特性
【図４】実施例１に係る測定系の制御フローチャート
【図５】実施例１に係る発光強度が変換される波長範囲を特定するフローチャート
【図６】実施例２に係る測定系の制御フローチャート
【図７】実施例２に係る三刺激値による行列の例
【発明を実施するための形態】
【００１１】
＜実施例１＞
実施例１に係る画像表示装置の測定方法について、図面を用いて具体的に説明する。本実施例に係る画像表示装置の測定方法が適用されるのは、分光輝度計を用いて、狭帯域と広帯域の異なる複数の光源を有するバックライトを用いた画像表示装置の発光光を測定する場合が想定される。
【００１２】
図１は、本実施例に係る測定系の概略構成を示すブロック図である。本実施例に係る測定系は、画像表示装置１００、コンピュータ１１０および測定装置１１１を備える。画像表示装置１００はさらに、制御部１０１、Ｒ−Ｇａｉｎ１０２、Ｇ−Ｇａｉｎ１０３、Ｂ
−Ｇａｉｎ１０４、Ｒ−レーザー１０５、Ｇ−ＬＥＤ１０６、Ｂ−ＬＥＤ１０７、バックライト１０８、液晶パネル１０９を備える。
【００１３】
制御部１０１は、画像表示装置１００の制御を行う。制御部１０１は、バックライト１０８や液晶パネル１０９を制御する。制御部１０１は、例えば、バックライト１０８が備える光源の発光を制御して、各光源に対応する各色の発光強度を変更する。また、制御部１０１は、液晶パネル１０９の変調を制御して所望の画像を表示する。なお、制御部１０１の制御は、コンピュータ１１０からの指示によって実行されてもよい。
【００１４】
バックライト１０８は、複数の光源から構成される発光部であり、液晶パネル１０９を背面から照射する。本実施例に係るバックライト１０８は、スペクトル線幅が狭く発光強度が高い光源と、スペクトル線幅が広く比較的発光強度が低い光源とを備えることが想定される。なお本明細書では、スペクトル線幅が狭いことを狭帯域、スペクトル線幅が広いことを広帯域とも表現する。狭帯域の光源とは、例えばレーザーであり、広帯域の光源とは、例えばＬＥＤである。ただし、ここで述べた光源の種類は一例であり、本実施例で用いられる光源はこれに限定されない。本実施例では、バックライト１０８は、赤色、青色、緑色を発する光源を備えるものとする。そして、赤色を発する光源はレーザーとし、緑色を発する光源および青色を発する光源はＬＥＤとする。また、バックライト１０８は導光部材や拡散部材を有してもよい。なお、光源の赤、青、緑の色の組み合わせは一例であり、これ以外の組み合わせでもよい。また、光源の色と種類の対応関係もここで述べた例に限定されない。
【００１５】
Ｒ−レーザー１０５は、バックライト１０８が備える赤色の光源である。Ｇ−ＬＥＤ１０６は、バックライト１０８が備える緑色の光源である。Ｂ−ＬＥＤ１０７は、バックライト１０８が備える青色の光源である。Ｒ−Ｇａｉｎ１０２は、Ｒ−レーザー１０５の発光強度を設定されたゲイン値に基づいて調整する。Ｇ−Ｇａｉｎ１０３は、Ｇ−ＬＥＤ１０６の発光強度を設定されたゲイン値に基づいて調整する。Ｂ−Ｇａｉｎ１０４は、Ｂ−ＬＥＤ１０７の発光強度を設定されたゲイン値に基づいて調整する。Ｒ−レーザー１０５、Ｇ−ＬＥＤ１０６およびＢ−ＬＥＤ１０７は、設定されたゲイン値に応じた明るさで発光する。
【００１６】
液晶パネル１０９は、バックライト１０８から照射される光を変調することにより所望の画像を表示する透過パネルである。なお、以下では、本実施例に係る画像表示装置１００が透過型の液晶表示装置である場合の例を説明するが、本実施例に係る画像表示装置１００は透過型の液晶表示装置に限らない。本実施例に係る画像表示装置１００は、発光部と、発光部からの光を画像データに基づいて変調することにより画面に画像を表示する表示部と、を有する画像表示装置であればよい。例えば、本実施例に係る画像表示装置１００は、反射型の液晶表示装置であってもよい。また、本実施例に係る画像表示装置１００は、液晶素子の代わりにＭＥＭＳ（Ｍｉｃｒｏ  Ｅｌｅｃｔｒｏ  Ｍｅｃｈａｎｉｃａｌ
Ｓｙｓｔｅｍ）シャッターを用いたＭＥＭＳシャッター方式表示装置であってもよい。
【００１７】
コンピュータ１１０は、図１に示す測定系による測定を支援する測定支援装置である。コンピュータ１１０は、測定装置１１１による測定値を取得する。また、コンピュータ１１０は、測定装置１１１による測定値に基づいて、バックライト１０８の狭帯域の光源の発光強度の測定値の変換処理に係るパラメータを算出する。また、コンピュータ１１０は、狭帯域の光源の発光強度を低下させた場合の測定装置１１１による測定値と、上述したパラメータに基づいて、狭帯域の光源の発光強度を低下させる前の状態での測定値を推定する。なお、測定装置１１１からの測定値の取得や画像表示装置１００の動作の制御は、測定者によって手動で実行されてもよいし、全てまたは一部をコンピュータ１１０によって実行されてもよい。例えば、図１のようにコンピュータ１１０が画像表示装置１００お
よび測定装置１１１と制御線で接続され、後述する測定処理に係る動作をコンピュータ１１０が制御することによって、自動測定系が構成されてもよい。または、測定装置１１１による測定値は測定者などにより手動で入力されてもよい。
【００１８】
測定装置１１１は、分光輝度計であり、内蔵された分光器により輝度および色度を測定可能である。測定装置１１１は、コンピュータ１１０からの指示により制御されてもよいし、測定者によって手動で制御されてもよい。測定装置１１１は、測定を実施する際に、分光器のＣＣＤ等の光学センサが飽和しないように、露光時間を調整する機能を有している。また、測定装置１１１は、設定により測定可能範囲が変更可能なものであってもよい。例えば、測定装置１１１は露光時間を長くすることにより、測定可能範囲の下限値を低下させ、露光時間を短くすることにより、測定可能範囲の上限値を上昇させるものであってもよい。
【００１９】
図２は、本実施例に係る液晶パネル１０９のフィルタの透過特性を示す図である。横軸は可視光領域の波長を示し、縦軸は正規化された透過率を示している。実線、破線、点線はそれぞれ、緑色、赤色、青色のフィルタの透過特性に対応している。
【００２０】
図３Ａは、本実施例に係る画像表示装置１００が白色表示をしたときの、発光光の分光特性である。図３Ａの状態において、画像表示装置１００の表示色は、ＣＩＥ  １９７６
ＵＣＳ色度図においてｕ’ｖ’色度座標が（０．１９４，０．４６９）に調整された場合に対応している。図３Ａの横軸は可視光領域の波長を示し、縦軸は発光強度を示している。この場合、Ｒ−レーザー１０５によるスペクトル９０１のピーク強度は、Ｇ−ＬＥＤ１０６によるスペクトル９０２およびＢ−ＬＥＤ１０７によるスペクトル９０３のピーク強度と比較して、１１倍程度高い。
【００２１】
図３Ｂは、Ｒ−レーザー１０５の発光強度を低下させた状態で、本実施例に係る画像表示装置１００が白色表示をしたときの、発光光の分光特性である。図３Ｂの状態において、画像表示装置１００の表示色は、ＣＩＥ  １９７６  ＵＣＳ色度図においてｕ’ｖ’色度座標が（０．１０９，０．４４４）に調整された場合に対応している。図３Ａと同様に、図３Ｂの横軸は可視光領域の波長を示し、縦軸は発光強度を示している。図３Ｂにおいては、Ｒ−レーザー１０５のゲインが、図３Ａの場合の１／１１に低下している。このため、Ｒ−レーザー１０５によるスペクトル９０５のピーク強度は、Ｇ−ＬＥＤ１０６によるスペクトル９０６およびＢ−ＬＥＤ１０７によるスペクトル９０７のピーク強度と同程度となる。図３Ｂの状態の画像表示装置１００の発光光を測定装置１１１で測定する場合、各スペクトルのピーク強度が同程度であるため、各スペクトルは同程度の分解能で測定される。測定装置１１１の測定可能範囲が可変な場合、測定可能範囲の上限値を各スペクトルのピーク強度に合わせることにより、測定装置１１１のダイナミックレンジを有効に活用した測定が可能となる。なお、図３Ａの状態は、例えば画像表示装置１００が通常通り使用される状態が想定される。また、図３Ｂの状態は、後述するように、例えばキャリブレーションのための測定時などに意図的に狭帯域の光源の発光強度を低下させる場合が想定される。
【００２２】
本実施例に係る測定の処理フローを、図４のフローチャートを参照しながら説明する。ステップＳ１０１では、制御部１０１は、Ｇ−Ｇａｉｎ１０３およびＢ−Ｇａｉｎ１０４を最小にして、赤色が単独で点灯する条件にする。この状態で、測定装置１１１は画像表示装置１００が発する光に対する適正露光時間を測定する。そしてコンピュータ１１０は、測定装置１１１によって測定された適正露光時間を取得する。
【００２３】
ステップＳ１０２では、制御部１０１は、Ｇ−Ｇａｉｎ１０３を元に戻し、Ｒ−Ｇａｉｎ１０２を最小にして、緑色が単独で点灯する条件にする。この状態で、測定装置１１１
は画像表示装置１００が発する光に対する適正露光時間を測定する。そしてコンピュータ１１０は、測定装置１１１によって測定された適正露光時間を取得する。
【００２４】
ステップＳ１０３では、制御部１０１は、Ｂ−Ｇａｉｎ１０４を元に戻し、Ｇ−Ｇａｉｎ１０３を最小にして、青色が単独で点灯する条件にする。この状態で、測定装置１１１は画像表示装置１００が発する光に対する適正露光時間を測定する。そしてコンピュータ１１０は、測定装置１１１によって測定された適正露光時間を取得する。
【００２５】
ステップＳ１０４では、コンピュータ１１０は、ステップＳ１０１〜ステップＳ１０３で測定した適正露光時間に基づいて、Ｒ−レーザー１０５の発光強度を低下させるための制御値を算出する。例えば、コンピュータ１１０は、Ｒ−レーザー１０５のみが点灯するステップＳ１０１において取得された適正露光時間をｔ１として記憶する。また、コンピュータ１１０は、広帯域の光源（本実施例ではＬＥＤ）の中で、発光スペクトルの強度が最も高い光源のみが点灯する時に測定される適正露光時間をｔ２として記憶する。この場合、コンピュータ１１０は、Ｒ−レーザー１０５のゲインにｔ１／ｔ２を乗じることによって、Ｒ−レーザー１０５の発光強度を広帯域の光源の発光強度と同程度まで低下させることができる。なお、上述のＲ−レーザー１０５の制御方法は一例であり、発光強度を広帯域の光源の発光強度と同程度に低下させる方法であれば他の方法が用いられてもよい。
【００２６】
ステップＳ１０５では、ステップＳ１０４で算出された制御値に基づいて、制御部１０１は、Ｒ−レーザー１０５の発光強度を低下させる。これによって、図３ＢのようにＲ−レーザー１０５の発光強度は、ＬＥＤの発光強度と同程度まで低下する。また、測定装置１１１の測定可能範囲の上限値が固定されている場合、制御部１０１はＲ−レーザー１０５の発光強度を測定装置１１１の測定可能範囲の上限値まで低下させることにしてもよい。
【００２７】
ステップＳ１０６では、測定装置１１１の測定可能範囲が調整される。例えば、測定装置１１１の露光時間を調整することにより発光強度の測定可能範囲が変更可能な場合、測定可能範囲の上限値がステップＳ１０５で調整された発光強度と略同じ程度になるように調整される。なお、測定装置１１１が自動的にこの調整を実行するものである場合、ステップＳ１０６の処理は省略される。また、この調整は測定者により手動で実行されてもよいし、コンピュータ１１０による制御に基づいて実行されてもよい。
【００２８】
ステップＳ１０７では、Ｒ−レーザー１０５の発光強度を低下させた状態の測定装置１１１による測定値から、発光強度を低下させる前の測定装置１１１による測定値を推定するためのパラメータが算出される。パラメータの算出方法の一例を示すと、例えば、ステップＳ１０４で求められた適正露光時間の比率がパラメータとして用いられてもよい。Ｒ−レーザー１０５の発光強度を低下させた状態で測定装置１１１により取得された分光特性のうち、Ｒ−レーザー１０５による発光スペクトルの波長範囲のみ、発光強度にｔ２／ｔ１を乗じることにしてもよい。あるいは、適正露光時間の比率（ｔ２／ｔ１）と、発光強度の変化（例えば、発光強度を何倍にするか）の対応関係を予め取得しておき、ステップＳ１０４で取得された適正露光時間の比率（ｔ２／ｔ１）によって、発光強度の変換が決定されてもよい。なお、測定装置１１１により取得された分光特性のうち、Ｒ−レーザー１０５による発光スペクトルの部分（発光強度が変換される波長範囲）を特定する手法については後述する。
【００２９】
ステップＳ１０８では、コンピュータ１１０は、ステップＳ１０７で算出されたパラメータを用いて画像表示装置１００の画質調整（キャリブレーション）を実行する。以下、ステップＳ１０８の処理について詳述する。測定装置１１１は、Ｒ−レーザー１０５の発光強度が低下した時の画像表示装置１００の測定を行う。コンピュータ１１０は、この場
合の測定装置１１１による測定値を取得する。さらに、コンピュータ１１０は、ステップＳ１０７で算出されたパラメータと、Ｒ−レーザー１０５の発光強度が低下した時の測定値とから、Ｒ−レーザー１０５の発光強度が低下する前の測定値を推定する。本実施例では、測定装置１１１は、測定値として分光特性（波長に対する発光強度）を取得するものとする。ステップＳ１０８の処理によって、図３ＢのようなＲ−レーザー１０５の発光強度を低下させた時の測定装置１１１による測定値から、図３ＡのようなＲ−レーザー１０５の発光強度を低下させる前の測定装置１１１による測定値が推定される。さらにコンピュータ１１０は推定された測定値に基づいて、色調整やγ特性などの画質の調整（キャリブレーション）を行う。ステップＳ１０９では、制御部１０１は、Ｒ−レーザー１０５の発光強度を、低下前の発光強度に戻す。
【００３０】
次に、ステップＳ１０７で言及した測定装置１１１により取得された分光特性のうち、Ｒ−レーザー１０５による発光スペクトルの部分を特定する手法について、図５のフローチャートを用いて説明する。図５のフローを実行するにあたっては、事前にＲ−レーザー１０５の発光スペクトルの波長域を含む分光特性が取得されているものとする。そして、分光特性のデータとして、離散化された波長（λｎとする）に対して、離散化された発光強度（Ａｎとする）が対応する表形式のデータが準備されているものとする。
【００３１】
ステップＳ２０１では、コンピュータ１１０は、上述の離散化された複数の波長のうち、１つの波長を処理の対象とする。ここでは、コンピュータ１１０は、λｎを処理の対象として選択し、さらにλｎに対応する発光強度Ａｎを取得するものとする。ステップＳ２０２では、コンピュータ１１０が、Ａｎが閾値以下であるか否かを判定する。Ａｎが閾値を超えている場合（ステップＳ２０２：ＮＯ）は、処理はステップＳ２０３に進む。Ａｎが閾値以下である場合（ステップＳ２０２：ＹＥＳ）は、処理はステップＳ２０４に進む。
【００３２】
ステップＳ２０３では、コンピュータ１１０は、λｎにおける発光強度が、パラメータによる変換の対象となると判断し、λｎを記憶する。ステップＳ２０４では、コンピュータ１１０は、λｎが分光特性データの離散化された波長のうち、最後の波長であるか否かを判定する。λｎが最後の波長である場合（ステップＳ２０４：ＹＥＳ）は、本フローを終了する。λｎが最後の波長でない場合（ステップＳ２０４：ＮＯ）は、処理はステップＳ２０１に戻り、λｎ＋１を処理の対象として以降の処理に進む。
【００３３】
図５のフローを実行することにより、発光強度がパラメータによる変換の対象となる波長の範囲が特定される。なお、図５のフローは、Ｒ−レーザー１０５による発光スペクトルが他の広帯域の光源による発光スペクトルと重ならない場合を想定している。しかし、広帯域の光源による発光スペクトルと重なる場合は、広帯域の光源による発光スペクトルの影響を考慮することにより、本フローを実行可能である。例えば、広帯域の光源の発光スペクトルの波長域や発光強度が分かっている場合、影響を受ける波長域を処理の対象から除外することによって、または広帯域の光源の発光スペクトル強度を加味した閾値を設定することによって、本フローを実行できる。
【００３４】
これにより、ステップＳ１０６では、測定装置のダイナミックレンジを有効活用した測定が行われ、向上した測定精度で測定された分光特性に基づいて精度の高い画質の調整が実現される。すなわち、狭帯域で発光強度が高い光源と広帯域で発光強度が低い光源を混在させてバックライトとして用いる画像表示装置が発する光を測定する測定装置のダイナミックレンジを有効活用する測定が実現される。
【００３５】
なお、図４のフローチャートにおいて、画像表示装置１００の制御部１０１の制御や、測定装置１１１の動作制御は、測定者によって手動で実行されてもよいし、一部またはす
べての制御がコンピュータ１１０からの指示に基づいて実行されてもよい。その場合、本実施例に係る測定系は、自動測定系として構築されることも可能である。
【００３６】
＜実施例２＞
本実施例では、狭帯域の光源の発光強度を低下させた時の測定値から、低下させる前の測定値への変換方法が実施例１と異なる例を示す。画像表示装置１００の構成は、実施例１と同じである。次に、図６のフローチャートを参照しながら、実施例２の測定系の制御フローを、実施例１と異なる点について説明する。なお、図６において、図４と符号が同じものは、処理も同じである。
【００３７】
ステップＳ３０１では、バックライト１０８の各光源は初期に設定された発光強度のまま発光する。そして、液晶パネル１０９は、透過光が赤色になるよう変調する。さらに測定装置１１１は透過光の測定を行う。
【００３８】
ステップＳ３０２では、液晶パネル１０９は、透過光が緑色になるように変調する。そして、測定装置１１１は透過光の測定を行う。ステップＳ３０３では、液晶パネル１０９は、透過光が青色になるよう変調する。そして、測定装置１１１は透過光の測定を行う。つまり、ステップＳ３０１からステップＳ３０３では、画像表示装置１００が、バックライト１０８を標準設定の発光強度で発光させた状態で、赤色、青色、緑色を順次表示し、測定装置１１１は各色について測定を行う。
【００３９】
ステップＳ３０４では、制御部１０１が、予め設定された、狭帯域の光源の発光強度の低下比率をＲ−Ｇａｉｎ１０２に設定する。そして、設定値に応じて、狭帯域の光源であるＲ−レーザー１０５の発光強度が低下する。
【００４０】
ステップＳ３０５では、バックライト１０８のＲ−レーザー１０５の発光強度を低下させた状態で、液晶パネル１０９は透過光が赤になるよう変調する。そして、測定装置１１１は透過光を測定する。
【００４１】
ステップＳ３０６では、液晶パネル１０９は、透過光が緑になるよう変調する。そして、測定装置１１１は透過光を測定する。ステップＳ３０７では、液晶パネル１０９は、透過光が青色になるよう変調する。そして、測定装置１１１は透過光を測定する。つまり、ステップＳ３０５からステップＳ３０７では、画像表示装置１００が、バックライト１０８のＲ−レーザー１０５の発光強度を低下させた状態で、赤色、青色、緑色を順次表示し、測定装置１１１は各色について測定を行う。
【００４２】
なお、ステップＳ３０１とステップＳ３０５および、ステップＳ３０２とステップＳ３０６および、ステップＳ３０３とステップＳ３０７で液晶パネル１０９に用いられる表示階調データは、色ごとに同じである。
【００４３】
ステップＳ３０８では、ステップＳ３０１からステップＳ３０３およびステップＳ３０５およびステップＳ３０７における測定結果を用いて、Ｒ−レーザー１０５の発光強度の低下に関する変換行列（パラメータ）を作成する。以下、変換行列の作成に関して説明する。
【００４４】
図７Ａは、ステップＳ３０１からステップＳ３０３において測定されたスペクトル特性に基づいて求められた三刺激値を、各色の表示ごとに配置することにより生成された３×３の行列である。図７Ｂは、ステップＳ３０５からステップＳ３０７において測定されたスペクトル特性に基づいて求められた三刺激値を、各色の表示ごとに配置することにより生成された３×３の行列である。図７Ｃは、図７Ｂの行列の逆行列である。図７Ｄは、図
７Ａの行列に図７Ｃの行列を乗じることにより生成される変換行列である。図７Ａの行列、図７Ｂの行列をそれぞれ、Ａ、Ｂと表現すると、図７Ｃ、図７Ｄの行列はそれぞれＢ−１、ＡＢ−１と表現できる。
【００４５】
ステップＳ３０９では、Ｒ−レーザー１０５の発光強度を低下させた状態で、測定装置１１１が画質調整（キャリブレーション）のための測定を行う。そして測定装置１１１による測定値は三刺激値に変換され、Ｃと表現することにする。そしてＲ−レーザー１０５の発光強度を低下させた状態における測定値（Ｃ）は、ステップＳ３０１で算出された変換行列によって、Ｒ−レーザー１０５の発光強度を低下させる前の状態の測定値（Ｘとする）に変換される。具体的には、Ｘ＝ＡＢ−１Ｃという変換によって、Ｒ−レーザー１０５の発光強度を低下させる前の状態の測定値が推定される。そして、コンピュータ１１０は、算出された測定値（Ｘ）を用いて、画質調整（キャリブレーション）を実行する。
【００４６】
本実施例によれば、測定装置のダイナミックレンジを有効活用した測定が行われ、向上した測定精度で測定された三刺激値に基づいて精度の高い画質の調整が実現される。すなわち、狭帯域で発光強度が高い光源と広帯域で発光強度が低い光源を混在させてバックライトとして用いる画像表示装置が発する光を測定する測定装置のダイナミックレンジを有効活用する測定が実現される。
【００４７】
（その他の実施例）
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【００４８】
尚、実施例１〜２はあくまで一例であり、本発明の要旨の範囲内で実施例１〜２の構成を適宜変形したり変更したりすることにより得られる構成も、本発明に含まれる。実施例１〜２の構成を適宜組み合わせて得られる構成も、本発明に含まれる。
【符号の説明】
【００４９】
１００：画像表示装置    １０５：Ｒ−レーザー    １０６：Ｇ−ＬＥＤ    １０７：Ｂ−ＬＥＤ    １１０：コンピュータ    １１１：測定装置
【図１】
2018169267.tif 000003
【図２】
2018169267.tif 000004
【図３】
2018169267.tif 000005
【図４】
2018169267.tif 000006
【図５】
2018169267.tif 000007
【図６】
2018169267.tif 000008
【図７】
2018169267.tif 000009